(57)【特許請求の範囲】
【請求項１】
氏又は名称を示す文字部分（３）と、文字部分を装飾する装飾部分（４）を連続する金属製表札の製造方法であって、
装飾部分用原型（１３）を反復使用可能な材料で形成すると共に、文字部分用原型（１４）を溶湯で消失する材料で形成し、
装飾部分用原型（１３）の裏面部分が嵌る凹部（１１）を備えた台型（１２）を形成し、凹部（１１）に装飾部分用原型（１３）の裏面部分を嵌め込むことにより装飾部分用原型（１３）の表面部分を台型（１２）の砂の上に突出させると共に、文字部分用原型（１４）を台型（１２）の砂（１２ｂ）の上に載せた状態で装飾部分用原型（１３）の表面部分の外周面に突き合わせ、表型（１５）の枠（１５ａ）を台型（１２）の枠（１２ａ）の上に重ね合わせて、表型（１５）の枠（１５ａ）内に砂（１５ｂ）を投入して硬化させ、その後に台型（１２）から表型（１５）を外してひっくり返すことによって、文字部分用原型（１４）の裏面を砂面と面一の状態で砂から露出させ且つ装飾部分用原型（１３）の表面部分が砂（１５ｂ）内に埋まりながらもその裏面部分が砂の上に突出した状態で表型（１５）を形成し、表型の枠（１５ａ）上に裏型（１６）の枠（１６ａ）を重ね合わせて裏型枠内に砂（１６ｂ）を投入して硬化させ、表型と裏型を開いて砂の上に突出した状態となっている裏面部分を摘んで装飾部分用原型（１３）を抜き出し、文字部分用原型（１４）のみを残したまま表型と裏型を閉じて装飾部分用空間を形成し、溶湯（１９）を注入することによって文字部分用原型（１４）を消失させて、その消失空間と装飾部分用空間の全域に溶湯を行き渡らせることを特徴とする金属製表札の製造方法。
【発明の詳細な説明】
【技術分野】
【０００１】
本発明は氏名、名称等の文字部分と、その文字部分を装飾する模擬植物などの装飾部分を連続させた金属製表札の製造方法に関する。
【背景技術】
【０００２】
上述した形態の金属製表札を作る場合に従来は、そのおしゃれな外観を得るために、曲げ加工で鉄棒を曲げたり、レーザー加工で金属板を切り抜いたり、或いは溶接したりして、文字部分と装飾部分を連続させていた。
【０００３】
そこで本発明者は、曲げ加工やレーザー加工とは異なる独特の質感を得るために、文字部分と装飾部分を連続した表札を鋳造品とすることを思いついた。ところが、表札の文字部分は購入者の氏名等に応じて付けるものなので、装飾部分を同じデザインとしても文字部分と装飾部分を連続した表札を鋳造品で作る場合には、購入者ごとに原型を作る必要があり、必然的に生産コストが高くなり、量産には不向きである。しかも、原型の処分にも困る。つまり氏名などの異なる表札が多種類になれば、その保管場所に困るし、廃棄することも資源の有効活用の観点から問題である。
【発明の開示】
【発明が解決しようとする課題】
【０００４】
本発明は上記実情を考慮して創作されたもので、鋳造品の表札を作る場合に生産コストを安く抑え、原型の保管が容易な製造方法を開発することを目的とする。
【課題を解決するための手段】
【０００５】
そこで本発明者は装飾部分を同じデザインにして反復使用可能な材料で原型を作り、購入者毎に異なる表記となる文字部分には溶湯で消失する材料で原型を作ることによって上記問題を解決できると考えた。
【０００６】
即ち、本発明は氏又は名称を示す文字部分と、文字部分を装飾する装飾部分を連続する金属製表札の製造方法に関する。そして、装飾部分用原型を反復使用可能な材料で形成すると共に、文字部分用原型を溶湯で消失する材料で形成し、装飾部分用原型の裏面部分が嵌る凹部を備えた台型を形成し、凹部に装飾部分用原型の裏面部分を嵌め込むことにより装飾部分用原型の表面部分を台型の砂の上に突出させると共に、文字部分用原型を台型の砂の上に載せた状態で装飾部分用原型の表面部分の外周面に平面的に突き合わせ、表型の枠を台型の枠の上に重ね合わせて、表型の枠内に砂を投入して硬化させ、その後に台型から表型を外してひっくり返すことによって、文字部分用原型の裏面を砂面と面一の状態で砂から露出させ且つ装飾部分用原型の表面部分が砂内に埋まりながらもその裏面部分が砂の上に突出した状態で表型を形成し、表型の枠上に裏型の枠を重ね合わせて裏型枠内に砂を投入して硬化させ、表型と裏型を開いて砂の上に突出した状態となっている裏面部分を摘んで装飾部分用原型を抜き出し、文字部分用原型のみを残したまま表型と裏型を閉じて装飾部分用空間を形成し、溶湯を注入することによって文字部分用原型を消失させて、その消失空間と装飾部分用空間の全域に溶湯を行き渡らせることを特徴とする。なお、砂とは鋳物砂のことである。
【発明の効果】
【０００７】
本発明は、溶湯の熱で文字部分用原型を消失させて、その消失空間と装飾部分用空間に溶湯を行き渡らせて表札を製造するという意外な手法を用いている。そして、文字部分用原型が製造過程で消失するので、装飾部分用原型のみを製作して保管しておけば、同一デザインの装飾部分の表札の製作依頼を受注した場合に、文字部分のみを製作することで対応でき、量産時の生産コストを安価に出来ると共に保管場所にも困らず、その上、受注から完成までの期間を短くできる。なお、文字部分用原型は溶湯で消失するので、表型から抜き取らなくて良いので、文字部分用原型には、装飾部分用原型に必要な抜き取り用の勾配を付けずにすみ、文字部分用原型を作りやすい。
【発明を実施するための最良の形態】
【０００８】
金属製表札１は図４に示すように氏を示す複数の文字２からなる文字部分３と、植物を模擬した装飾部分４を平面的に連続した真鍮製の鋳造品で、全体の厚みを約１０ｍｍに形成してある。なお、真鍮以外の金属、例えばアルミなどを材料としても良い。
【０００９】
文字部分３は氏、名称等からなるもので、約７ｍｍの厚肉の各文字２の下側を装飾部分４に別々に連続したものである。なお、図示しないが、文字部分３は複数の文字を連続したものであっても良い。
【００１０】
装飾部分４は、文字部分３を連続する横棒状の台座５の下に葡萄模擬部６を連続したものである。葡萄模擬部６は、茎７、葉８、及び果実９とからなり、台座５の下側に茎７を部分的に連続すると共に、茎７に葉８と果実９を連続してある。茎７の表面には、鍛造調に波打つ凹凸を付けてある。葉８は茎７の表面に載る状態で連続し、果実９は同様に茎７の表面に載る状態で連続したり、茎７からぶら下がる状態で連続している。台座５の裏面には固定用の止め部（雌ネジ）１０を複数、左右対称的に突出し、さらに詳しく言えば茎７と台座５の裏面には図示しないが微妙な凹凸を付けてある。
【００１１】
金属製表札の別例は図５に示すように台座５に小鳥９ａを恰も止まっているかのような状態で連続し、葡萄模擬部６の代わり蔦模擬部６ａを用いたものである。蔦模擬部６ａは茎７に葉８を付けたものである。
【００１２】
鋳造品の表面に色付けしても良く、例えば青銅色、茶色、黒色とすることもできる。青銅色の場合、鋳造品を塩化アンモニウム液に浸し、乾燥させ、表面を綿で掃く作業を数回繰り返して着色し、表面にクリヤラッカーを塗り青銅色を保護する。茶色の場合、鋳造品を丹ぱん酢の液体に浸して乾燥させ、その後、ベンガラを入れたうるしで乾燥品を掃き、表面にろうびきするかワックスしてうるしの艶を出す。黒色の場合は、鋳造品を丹ぱん酢の液体に浸して乾燥させ、その後、ススを入れたうるしで乾燥品を掃き、表面にろうびきするかワックスしてうるしの艶を出す。
【００１３】
金属製表札１を取り付ける場合は図６（イ）に示すように、裏面に付いている左右の止め部１０のピッチに合わせて躯体に穴Ｈをあける。次に、止め部１０の雌ネジよりも一回り小さい雄ネジＮを穴Ｈに差し込むと共に接着剤を注入し、雄ネジＨを接着すると共に雄ネジＨの一端部を躯体の外部に突出させる。突出部分に接着剤を塗り、最後に図６（ロ）に示すように突出部分に止め部１０の雌ネジを差し込んで接着剤で硬化して取付を終了する。
【００１４】
上述した金属製表札１の鋳造方法を図面に基づいて説明する。まず、図１（イ）に示すように、装飾部分用原型１３の裏面部分が嵌る凹部１１を形成した台型１２を作る。この凹部１１によって原型１３の左右の止め部を収容するだけでなく、茎及び台座の裏面の微妙な凹凸を吸収する。台型１２は枠１２ａと、枠１２ａ内に詰めて硬化させた砂１２ｂとから構成され、文字部分３の変更に関係なく、同一デザインの装飾部分用原型１３を用いる場合に使用される。次に図１（ロ）に示すように、凹部１１に装飾部分用原型１３を嵌め込み、装飾部分用原型１３の表面部分を台型１２の上に突出させると共に、文字部分用原型１４を構成する各文字原型１４ａを順番に装飾部分用原型１３の台座１３ａの２次元的な上側に押し当てるというか突き合わせて台型１２の砂１２ｂの上に載せる。装飾部分用原型１３は反復使用可能な材料（例えば鉄等の金属）で作ったもので、茎１３ｂの部分をハンマーで叩いたかのような凹凸を付けたものを用いる。文字部分用原型１４は、溶湯で消失する材料（例えば発泡スチロール）で作ったもので、さらに詳しく言えば、発泡スチロールの板を糸鋸で切り抜いたものである。発泡スチロール製としたのは、氏、名称が色々あるので、安価に製作するためである。次に、図１（ハ）に示すように台型１２の上に表型１５の枠１５ａを台型１２の枠１２ａの上に、凹凸を利用して位置決めして重ね合わせ、表型１５の枠１５ａ内に砂１５ｂを詰めて、文字部分用と装飾部分用の各原型１３，１４を埋める。砂が硬化した後に、図１（ニ）に示すように台型１２から表型１５を外す。外した表型１５をひっくり返すと、図１（ホ）に示すように、文字部分用と装飾部分用の各原型１３，１４が収まった表型１５になる。
【００１５】
次に、図１（ヘ）に示すようにひっくり返した表型１５の上に裏型１６の枠１６ａを、凹凸を利用して位置決めして重ね合わせ、装飾部分用原型１３から離れた箇所にパイプ状又は柱状の注湯口形成材Ｔを起立させて、裏型１６の枠１６ａ内に砂１６ｂを詰め、文字部分用と装飾部分用の原型１３，１４を埋める。すると、図２（ト）に示すように、裏型１６の砂１６ｂの上に注湯口形成材Ｔの上部が突出した形態となる。砂１６ｂが硬化したことを確認してから、図２（チ）に示すように注湯口形成材Ｔを抜き取り、表型１５から裏型１６を外してひっくり返すと、裏型１６には装飾部分用原型１３の裏面側が嵌っていた箇所に凹部１１が出来、抜き取った箇所に注湯口１７が出来ている。そして、図２（リ）に示すように砂を掘って湯道１８を作り、注湯口１７と凹部１１を湯道１８で繋げる。
【００１６】
続いて、図２（ヌ）に示すように表型１５内から装飾部分用原型１３を抜き取る。抜き取り易いように装飾部分用原型１３には、砂に埋没している面を、砂から露出している面よりも狭くする勾配を付けてある。また、抜き取りは、固定用の止め部１０を摘んで引っ張る。そうすると、表型１５内には抜き取り空間１５ｃが形成されると共に、文字部分用原型１４のみが砂に埋没した状態となる。そして、再度、表型１５の上に裏型１６を重ね合わせると（鋳型を閉じると）、抜き取り空間１５ｃと凹部１１が連続した装飾部分用空間が形成される。
【００１７】
この後に図３（ル）に示すように、注湯口１７に真鍮の溶湯１９を注入すると、溶湯の熱によって文字部分用原型１４が溶けて気化して消失し、その消失空間と装飾部分用空間の全域にくまなく溶湯が行き渡る。所定時間経過後に鋳型を壊すと、図３（ヲ）に示すように文字部分３と装飾部分４を平面的に連続させた一体の金属製表札１が取り出される。但し、湯道部分と注湯口部分には残りカス２０が付いているので、湯道部分と装飾部分４の境目を切断して残りカス２０を除去し、最後に、切削加工によって装飾部分４の止め部１０に雌ネジを切って完成する。
【００１８】
本発明は上記実施形態に限定されない。例えば、湯道１８は掘ることなしに、湯道用の原型を予め装飾部分用原型１３に連続した一体の原型としても良い。また、台型１２は、金属製表札１の装飾部分４の裏面側に微妙な凹凸を付けるために設けたものなので、装飾部分４の裏面側を凹凸のない平らな形態にするのであれば、台型１２を使うことなく平板の上に表型１５の枠１５ａを置き、枠内に装飾部分用原型１３と文字部分用原型１４を並べて砂を詰めて、表型１５を作れば良い。さらに、装飾部分用原型１３の上に文字部分用原型１４を載せて表型１５を作ってもよく、このようにすれば、最終的な金属製表札１は、装飾部分４の上に文字部分３が三次元的に連続する形態となる。
【図面の簡単な説明】
【００１９】
【図１】（イ）〜（ヘ）図は金属製表札の製造方法の前半部分を示す工程図である。
【図２】（ト）〜（ヌ）図は金属製表札の製造方法の中間部分を示す工程図である。
【図３】（ル）（ヲ）図は金属製表札の製造方法の後半部分を示す工程図である。
【図４】（イ）（ロ）（ハ）図は金属製表札の一例を示す正面図、右側面図、Ａ−Ａ線拡大断面図である。
【図５】（イ）（ロ）（ハ）図は金属製表札の一例を示す正面図、右側面図、Ｂ−Ｂ線拡大断面図である。
【図６】（イ）（ロ）図は金属製表札の取付方を示す作業工程図である。
【符号の説明】
【００２０】
１  金属製表札
３  文字部分
４  装飾部分
１３  装飾部分用原型
１４  文字部分用原型
１５  表型
１５ａ枠
１５ｂ砂
１６裏型
１６ａ枠
１６ｂ砂
１９溶湯
【図１】
0004839039.tif 000002
【図２】
0004839039.tif 000003
【図３】
0004839039.tif 000004
【図４】
0004839039.tif 000005
【図５】
0004839039.tif 000006
【図６】
0004839039.tif 000007